(57)【特許請求の範囲】
【請求項１】
室内ユニットと冷媒配管で連絡して室外に配置された室外ユニットに取り付けられ、前記室外ユニットの熱交換器に散水や噴霧を行う空気調和機用散水装置において、
前記室外ユニットの上部パネルの外面に取り付ける散水や噴霧の実行や停止を制御する制御部本体と、この制御部本体で制御された水を吐出させる散水スプレーと、前記散水スプレーを固定して前記散水スプレーを前記熱交換器に散水や噴霧が広がる所定の間隔をあけて対向した位置で配置されるスプレー取付部材とを備え、散水や噴霧の実行や停止を制御する前記制御部本体に供給される電源を前記室外ユニットの圧縮機の電源供給部から供給されるように前記圧縮機の電源供給部へ接続し、前記室外ユニットが運転されると前記圧縮機の電源供給部から散水や噴霧の実行や停止を制御する前記制御部本体にも電源が供給され、散水や噴霧を行う運転が開始されるようにし、
前記制御部本体には、前記室外ユニットの設置位置にて当該室外ユニットの端部へ当接する当接片を設けたとともに、前記スプレー取付部材の上部を前記制御部本体に取り付けたことを特徴とする空気調和機用散水装置。
【請求項２】
前記スプレー取付部材を前記室外ユニットの吸込み口より狭い幅で散水や噴霧の実行や停止を制御する前記制御部本体の幅よりも狭い幅に設けるとともに、前記スプレー取付部材の前記散水スプレーが取り付けられるスプレー取付台を上下に位置を変えられるようにしたことを特徴とする請求項１に記載の空気調和機用散水装置。
【請求項３】
前記散水スプレーを上下に２基設けたことを特徴とする請求項１または２に記載の空気調和機用散水装置。
【発明の詳細な説明】
【０００１】
【発明の属する技術分野】
この発明は、空気調和機の凝縮器としての熱交換器を冷却するために散水や噴霧を行なって、熱交換効率を向上させる空気調和機用の散水装置に関する。
【０００２】
【従来の技術】
従来の空気調和機用の散水装置としては、例えば実開昭５８−４７０６７号公報に示されたものがある。これは、冷房時に外気温度や凝縮圧力が増加した場合、冷房時に凝縮器となる空気調和機の室外ユニットの熱交換器に水の噴霧や散水を行なって凝縮圧力を低下させて圧縮機入力の低下および圧縮機能力の増大を図ったもので、特に、この従来の技術は、保水材料よりなる拡散板を設けて散水が均一に熱交換器に滴下するようにしたものであった。
【０００３】
また、図２９〜３１は他の従来の空気調和機の散水装置を示すもので、図２９は空気調和機の室外ユニットに散水装置を取り付けた状態を示す斜視図、図３０は散水スプレー取付部材を示す斜視図、図３１は図２９のＮ−Ｎ線断面図である。
図２９〜３１において、符号１は空気調和機の室外ユニットで、室内に設置された室内ユニット（図示せず）と冷媒配管で連絡されている。符号２は部屋の壁で、室外ユニット１が外気を冷却または加熱のための熱源としてスムーズに取り込めるように、この壁２から任意の間隔Ｌ１’をおいて配置されている。
【０００４】
符号３はこの室外ユニット１の熱交換器で、冷房時には凝縮器となりまた暖房時には蒸発器として作用するものであり、後方だけでなく、熱交換面積を広くするように一方の側面まで略Ｌ字形状に設けられている。符号４はこの熱交換器３の前方に配置された送風機で、熱交換器３の熱交換媒体として、冷房時には熱交換器３を冷やすための、また、暖房時には暖めるための外気を室外ユニット１の後方及び一方の側面の吸込み口５，６から吸い込み、前方の吹出し口７へと排出させる。
【０００５】
符合８は室外ユニット１の上部パネルで、９は室外ユニットの下部を形成する台板である。１０は室外ユニット１の散水装置で、制御部本体１１と散水スプレー１２及びスプレー取付部材１３からなるもので、室外ユニット１の上部に設けられた制御部本体１１は上部パネル８にドリル等で穿設した穴を介して図示しないネジ等で上部パネル８に固定されている。上部パネル８上の制御部本体１１の固定位置は、室外ユニット１の左右や前後端面などの目安となる指定の位置からの寸法を図２９に示す寸法Ｌ２’やＬ３のように測定することで位置決めがおこなわれていた。
この制御部本体１１には、図示しない制御基板等が収納されるとともに、水道などからのホース２２が接続され、その水を散水スプレー１２に導き、また、制御部本体１１内の図示しない電磁弁によりその水路を開閉させたりすることで、散水スプレー１２からの散水１２ａの実施や停止を制御していた。
【０００６】
符号１３は散水スプレー１２を室外ユニット１の熱交換器３に散水するため、当該室外ユニット１の側面において、散水スプレー１２を丁度よい距離に固定配置させるために設けられたスプレー取付部材である。このスプレー取付部材１３は、針金状の線材により枠形状に形成されており、左右幅は吸込み口５の幅と同等寸法に、上下の高さは上部パネル８と台板９との範囲である吸込み口５の上下高さと同等にして、左右角の四方には上部パネル８や台板９の縁部分に引っ掛かる鉤部１３ａを設け、スプレー取付部材１３の弾性変形を利用してたわませて上下に引っ掛けることで、室外ユニットの後面に取り付けられている。鉤部１３ａは吸込み口５の左右端にそれぞれ当接するため、スプレー取付部材１３は室外ユニット１に対して、前後、左右、上下に移動しないように固定され、制御部本体１１からの導水管１１ａの先端に設けられた散水スプレー１２が図示しないネジ等により固定されている。
【０００７】
次に動作について説明する。
夏季等の冷房時に外気温度や凝縮圧力が増加した場合、図示しない温度センサーなどによりその温度を検出し、散水装置１０の制御部本体１１の電磁弁を開き、散水スプレー１２から熱交換器３に散水を行い、凝縮圧力を低下させて圧縮機入力の低下および圧縮機能力を増大させる。
そして、散水は例えば３０秒間などの所定時間幅で行い、外気温が高い間や凝縮圧力が高い間は再度所定時間の後に散水を繰り返すなどしていた。
【０００８】
【発明が解決しようとする課題】
従来の空気調和機用の散水装置は上記のように構成されていたので、散水装置１０の制御部本体１１を室外ユニット１の上部に設置する際には、位置を決めるのに前後、左右両方の寸法を測定しなければならず、手間がかかり、また位置を測り間違えることもあった。
また、スプレー取付部材１３は上下にそれ自体の弾性を利用して引っ掛けられているだけなので、通常は問題ないが、暴風などの強風の際には外れる可能性があった。
また、スプレー取付部材１３の固定枠を室外ユニットに取り付ける際、スプレー取付部材１３の取付けられる側から引っ掛ける都合上、取り付け側に作業者が居て取り付けなければ取り付け作業が行いにくいため、スプレー取付部材１３の在る側には取付けのための作業空間が必要で、壁２などの障害物があるとスプレー取付部材１３の取付けが行いにくく、室外ユニットと障害物との間が広く必要で、据え付け条件が悪くなるという課題があった。
また、スプレー取付部材１３は、室外ユニット１に専有の寸法であるため室外ユニット１の特に上下高さ寸法の違う種類用にそれぞれ高さの違うスプレー取付部材１３を作る必要があり、スプレー取付部材１３の製品の管理や同一のものを多く作ることによるコストの削減などの恩恵が少ないという課題があった。
また、スプレー取付部材１３は、室外ユニット１と同程度の高さで、かつ室外ユニット１の幅の大半を占める吸込み口５の幅に設けなければならず、大きな物のため、包装も大きなものとなり物流コストや保管コストなどの面で安価なものではないという課題があった。
【０００９】
この発明は、上記のような課題を解消するためになされたもので、
第１の目的は、スプレー取付部材を小形にして製品の取り扱いを容易にするとともに包装が小さく、物流コストや保管コストが安価となる空気調和機用散水装置の提供を目的とする。
【００１０】
第２の目的は、スプレー取付部材の室外ユニット上部への固定を確実かつ容易にした空気調和機用散水装置の提供を目的とする。
【００１１】
第３の目的は、スプレー取付部材の室外ユニットへの固定が確実かつ容易で、スプレー取付部材側の室外ユニットと障害物との隙間が小さくても取付けができる空気調和機用散水装置の提供を目的とする。
【００１２】
第４の目的は、取付アングルの上下寸法を変えられるようにして室外ユニットの高さ寸法が異なっても取付けできるスプレー取付部材を備えた空気調和機用の散水装置の提供を目的とする。
【００１３】
第５の目的は、取付アングルの上下寸法を間違えることなく容易に選択でき、スプレー取付部材の上下寸法を容易に変えられる空気調和機用散水装置の提供を目的とする。
【００１４】
第６の目的は、取付アングルの上部の取付けを仮固定手段により容易にできる空気調和機用散水装置の提供を目的とする。
【００１５】
第７の目的は、制御部本体の室外ユニット上部への取付けを容易にできる空気調和機用散水装置の提供を目的とする。
【００１６】
第８の目的は、室外ユニットの熱交換器の洗浄が必要な際に、洗浄できる使い勝手のよい機能を備えた空気調和機用散水装置の提供を目的とする。
【００１７】
【課題を解決するための手段】
本発明は、室内ユニットと冷媒配管で連絡して室外に配置された室外ユニットに取り付けられ、前記室外ユニットの熱交換器に散水や噴霧を行う空気調和機用散水装置において、前記室外ユニットの上部パネルの外面に取り付ける散水や噴霧の実行や停止を制御する制御部本体と、この制御部本体で制御された水を吐出させる散水スプレーと、前記散水スプレーを固定して前記散水スプレーを前記熱交換器に散水や噴霧が広がる所定の間隔をあけて対向した位置で配置されるスプレー取付部材とを備え、散水や噴霧の実行や停止を制御する前記制御部本体に供給される電源を前記室外ユニットの圧縮機の電源供給部から供給されるように前記圧縮機の電源供給部へ接続し、前記室外ユニットが運転されると前記圧縮機の電源供給部から散水や噴霧の実行や停止を制御する前記制御部本体にも電源が供給され、散水や噴霧を行う運転が開始されるようにし、前記制御部本体には、前記室外ユニットの設置位置にて当該室外ユニットの端部へ当接する当接片を設けたとともに、前記スプレー取付部材の上部を前記制御部本体に取り付けた。また前記スプレー取付部材を前記室外ユニットの吸込み口より狭い幅で散水や噴霧の実行や停止を制御する前記制御部本体の幅よりも狭い幅に設けるとともに、前記スプレー取付部材の前記散水スプレーが取り付けられるスプレー取付台を上下に位置を変えられるようにした。また、前記散水スプレーを上下に２基設けたことを特徴とする。
【００１８】
【発明の実施の形態】
実施の形態１．
図１〜図１４は、この発明の実施の形態１を示す図で、図１は空気調和機の散水装置を室外ユニットに取付けた状態を示す斜視図、図２は図１のＦ−Ｆ線断面図、図３は回路構成図、図４は制御部本体の室外ユニットへの取付けを説明する斜視図、図５は図４のＧ−Ｇ線断面図、図６はスプレー取付部材の組み立てを説明する斜視図、図７はスプレー取付部材の室外ユニットへの取付を説明する斜視図、図８は散水装置の制御部本体部分の要部斜視図、図９は図７のＨ部分の要部斜視図、図１０は図９のＩ−Ｉ線断面図、図１１は取付アングル上部の取付けを説明する要部斜視図、図１２は図８のＪ−Ｊ線断面図、図１３は取付アングル２本とスプレー取付台を並べた状態の斜視図、図１４は動作を説明するフローチャートである。
【００１９】
図において、符号１は、空気調和機の室外ユニット（以下室外ユニットと称す）で、室内に設置した図示しない室内ユニットと冷媒配管で連絡している。
符号２は、部屋の壁を示し、室外ユニット１が外気を冷却または加熱のための熱源としてスムーズに取り込めるようにこの壁２から任意の間隔Ｌ１をおいて配置されている。
符号３は、この室外ユニット１の熱交換器で、冷房時には凝縮器となりまた暖房時には蒸発器として作用するものであり、後方だけでなく、熱交換面積を広くするように一方の側面まで略Ｌ字形状に設けられている。
符号４は、この熱交換器３の前方に配置された送風機で、熱交換器３の熱交換媒体として冷房時には熱交換器３を冷やすための、また、暖房時には暖めるための、外気を室外ユニット１の後方及び一方の側面の吸い込口５，６から吸い込んで、熱交換器３を通って前方吹出し口７へと排出させる。
【００２０】
符号８は、室外ユニット１の上面を形成する上部パネルで、通常、鉄板部材等により形成されている。
符号９は、室外ユニット１の底面を形成する台板で、台板９の強度を上げるためや台板の下に手を入れるさ際にエッジとならないなどのため、吸込み口５側を含め上方に立ちあがるフランジ９ａを形成している。
符号１０は、冷房時に外気温の上昇などにより室外ユニット１が高負荷となった際や、省エネのために熱交換器３に水の噴霧や散水を行って冷却する空気調和機の散水装置（以下、散水装置と称す）である。この散水装置の散水や噴霧は設定により任意に変える事ができ、例えば３０秒間散水し、５分後にまだ高負荷であれば再度３０秒間散水するように作動させることができる。
この散水装置１０は、室外ユニット１の上部に固定された散水や噴霧の実行や停止等の運転を制御する制御部本体１１と、この制御部本体１１からの導水管１１ａに接続されて熱交換器３へ向けて散水や噴霧を吐出させる散水スプレー１２と、室外ユニット１の背面側に設けられ散水スプレー１２からの散水が熱交換器３の所定の範囲に広がるように熱交換器３から所定間隔をおいて対向するように散水スプレー１２が室外ユニット１の所定の位置に固定配置されるように設けられたスプレー取付部材１３等とにより構成されている。
【００２１】
次に、制御部本体１１について説明する。
符号１４はこの制御部本体１１のベースであって、鋼板部材より成り、図５に示すように、室外ユニット１への所定の取付け位置にて、室外ユニット１の上部後端である上部パネル８の後端部に当接する部分である当接片１５を備えている。
この当接片１５は、これを室外ユニット１の後端部に当接するだけで前後方向の寸法は測定する必要がなく決められ、左右の方行のみ図４に示すように適当な寸法Ｌ２を測定して決めればよく、制御部本体１１の室外ユニット１上部での所定の位置への取り付けが極めて容易となる。
そして、この所定の位置への制御部本体１１の固定は、ベース１４のネジ取付部１４ａ（この実施の形態１では４箇所）に対応する位置に、例えばドリル等で上部パネル８にネジ用の穴を開け、締結部材としての例えばネジ１６でベース１４を締結することで制御部本体１１を室外ユニット１の所定位置に固定している。
【００２２】
符号１７は、ベース１４に形成されたスプレー取付部材１３の上部を取り付ける固定部であり、当接片１５の左右にそれぞれ形成され、それぞれネジ穴１８と係止穴１９とを備えている。
符号２０は制御部本体１１のカバーであり、ネジ２０ａによりベース１４に固定されている。
符号２１は制御部本体１１に設けられた水道管接続口であり、水道水を導く水道ホース２２が接続される部分である。
符号２３は水道管接続口２２の後段に設けられた濾過器であり、水道水内のごみ等を取り除き、散水スプレー１２の目詰まり等を防止する。
符号２４は濾過器２３の後段に設けられた電磁弁であり、この電磁弁２４の開閉を制御部本体１１により制御することで、散水スプレー１２から吐出させる散水や噴霧の実施や散水の停止等を行うよう後述の制御基板２５により制御されている。
符号２５は保護カバー２６内に配置した散水装置１０の運転を制御するマイコン（図示せず）などを備えた制御基板である。この電源は室外ユニット１の圧縮機１ａに供給する電源に接続して供給されており、室外ユニット１が運転されると散水装置１０にも電源が供給されるようになっている。
【００２３】
符号４４は外気温度を測定する温度センサであり、制御基板２５に接続されて外気温度データをマイコンに取り込んでいる。図示はしていないが、水道管接続口２１の近傍など、外気温度を測定しやすい位置の制御部本体１１内に配置している。
符号２７は制御基板２５上に設けられた設定スイッチＳＷ１であり、通常の運転時の散水を行う温度の設定や散水時間の設定等を切り替えるものである。
符号２８は同じく制御基板２５上に設けられた試運転スイッチＳＷ２であり、このスイッチＳＷ２を押すと、上記の電磁弁２４が開閉して、例えば、散水と散水停止とを１０秒間づつ３回繰り返した後、通常の運転に戻るように設定できる。この試運転スイッチＳＷ２の機能により、散水装置１０の散水が正常に行われるかどうかが確認できる。
【００２４】
符号２９は同じく制御基板２５上に設けられた洗浄スイッチＳＷ３で、熱交換器３の洗浄手段である。この洗浄スイッチ２９を押すと、電磁弁２４が開いて、通常の散水時間より長い時間、例えば、１０分間強制的に電磁弁２４が開いて散水状態にさせるスイッチである。
この洗浄手段は、熱交換器３が汚れたりした際、熱交換器３をきれいにして熱交換を促進できるように設けられたものであり、この実施の形態では、１０分以内に洗浄作業が終わった場合や誤ってこの洗浄スイッチＳＷ３を押してしまった場合等に、不要な散水を行うことがないように、この洗浄スイッチ２９を１０分以内に再度押すと、洗浄用の散水が停止して、通常の温度により散水を行う運転に戻るようにしている。
【００２５】
次に、スプレー取付部材１３の構成と室外ユニット１への取り付けについて説明する。
符号３０はスプレー取付部材１３の室外ユニット１への固定部分を構成する左右の取付アングルである。
この実施の形態１では、取付アングル３０は、左右同一型のものを一対使用しており、散水範囲が広がるように、散水スプレー１２が熱交換器３から所定の間隔をおいて設置されるようにするため、室外ユニット１の後部側面と間隔をおいて室外ユニット１の側面側を上下方向に並走する一対の並走部３０ａと、この並走部分３０ａの上下を室外ユニット１側面の上下に固定するため、並走部３０ａの上下端から室外ユニット１側へと屈曲する屈曲部分３０ｂとで形成されている。この実施の形態１では、直角よりも広い角度で傾斜して設けることで材料の長さを短く済ませ、また、角の部分が外力から変形しないように強度をも配慮している。
符号３１は取付アングル３０の左右を室外ユニット側へ折曲げたフランジであり、取付アングル３０のエッジからの作業者の保護と強度を向上させて、取付アングル３０の幅を狭くできるようにしている。
【００２６】
符合３２は散水スプレー１２が取り付けられるスプレー取付台であり、２本の取付アングル３０にその左右がそれぞれ架設されて固定される。取付アングル３０に設けられた２個づつのネジ穴３０ｃ、３０ｃに合わせてスプレー取付台３２の各穴３２ａを４本のネジ３３で締結することで、スプレー取付台３２は固定されている。
左右一対の取付アングル３０の間隔は、このスプレー取付台３２の左右幅で決まるわけであるが、間隔を広く設けても強度が向上するわけでもなく、また、スプレー取付台３２を形成する材料が多く必要的になるだけのため、従来技術のようにスプレー取付部材１３を吸込み口５のほぼ全幅に設ける必要はない。
実施の形態１では、吸込み口５の幅より半分以下の狭い幅で、また、制御部本体１１の幅よりも若干狭い幅に設けて、コンパクトに形成している。
【００２７】
符合３４は取付アングル３０の下端部を室外ユニット１の下部に係止させる係止部であり、図９図１０に示すように、取付アングル３０を上方から室外ユニット１の下部に係止させるように、台板９のフランジ９ａを前後に挟む前後の挟持片３４ａ，３４ｂを設けている。
この前後の挟持片３４ａ、３４ｂでフランジ９ａを挟持することで、取付アングル３０の下端部は室外ユニット１の下部で前後方向に外れないように係止される。
また、この前後の挟持片３４ａ，３４ｂは、前側の挟持片３４ｂを後側の挟持片３４ａの内側をくり貫くように、フランジ９ａの厚み分の間を空けて折り曲げることで形成されている。また、前後の挟持片３４ａ，３４ｂの先端には、フランジ９ａへ上方から入りやすいにガイドとなる案内傾斜部３４ｃがそれぞれ形成されている。
【００２８】
符合３５は取付アングル３０の上端部を室外ユニット１の上部に固定する上部固定部分で、図８，図１１，図１２に示すように、係止穴１９に上方から挿入して係止させる仮固定手段である垂下した係止片３５ａと、この係止片３５ａが係止穴１９に係止した位置でネジ穴１８に対応して設けられた穴３５ｂとを備えている。
この穴３５ｂとネジ穴１８にネジ３６を通して締結することで、取付アングル３０の上端部が制御部本体１１を介して室外ユニット１の上部に固定される。
この実施の形態１によれば、スプレー取付部材１３が小形のため従来に比べ取り扱いが容易となる。また、スプレー取付部材１３の上部が確実にネジ３６で室外ユニット１に取付けられて固定されるので、強風などの際にもスプレー取付部材１３が室外ユニット１から外れる虞がない。
【００２９】
図１３は、スプレー取付部材１３である取付アングル３０の２本とスプレー取付台３２とを組み立てていない状態にて並べて観た斜視図であるが、これらの部材の製品の包装を考えた場合、取付アングル３０の長さＬ５と幅Ｌ４があれば収まってしまうことが分かり、従来の部材のＬ５’とＬ４’とに比べ、制御部本体１１を一緒に包んだとしても、非常に小さな包装で済むので、輸送費用や包装材及び保管場所などが少なくて済み、物流コストが大幅に低減される。
【００３０】
次に、散水装置１０の取付要領について詳細に説明する。
まず、室外に壁２などから所定の間隔Ｌ１をおいて据え付けられた室外ユニット１上の上部パネル８に、制御部本体１１を固定する。
制御部本体１１の固定は、制御部本体１１の当接片１５を室外ユニット１の上部パネル８後端部に突き当て、左右の方行のみ、図４に示すように、室外ユニット１の左右側からの寸法Ｌ２を測定して制御部本体１１の所定位置を決め、その所定位置のベース１４のネジ取付部１４ａ（この実施の形態１では４箇所）に対応する位置に、例えばドリル等で上部パネル８にネジ用の穴を開けて、ネジ１６でベース１４を締結し制御部本体１１を室外ユニット１に固定する。
当接片１５によって、従来のように、制御部本体１１の位置決めに当たって、室外ユニット１の前後と左右の両方の寸法を計る必要がなく、片方の寸法のみを測れば良いので作業が簡単になる。
また、制御部本体１１の電源を、室外ユニット１の圧縮機１ａの電源供給部分へ接続する。
なお、この実施の形態１では、当接片１５を室外ユニット１の後端側である前後方向にのみ設けたものを示したが、室外ユニット１の左右側にも設けて、前後左右どちらの寸法も測定しないで制御部本体１１の位置を決められるようにしてもよい。室外ユニット１の幅が比較的狭いものであれば、制御部本体１１の幅を広くしなくて実施できる。
【００３１】
次に、スプレー取付部材１３の組み立てと室外ユニット１への取り付けについて説明する。
締結部材としてのネジ３３により、スプレー取付台３２を左右の取付アングル３０に、取付アングル３０に設けたネジ穴３０ｃを介して締結し、固定する。
また、導水管１１ａが接続された散水スプレー１２をスプレー取付台３２に、図示しないネジにて固定する。
そして、この左右の取付アングル３０とスプレー取付台３２よりなるスプレー取付部材１３の室外ユニット１への取り付けは、図７に示すように、取付アングル３０の下端部の係止部３４を、上方から室外ユニット１の下部に係止させるように台板９のフランジ９ａへ差し込むと、前後挟持片３４ａ、３４ｂでフランジ９ａが挟持され、取付アングル３０の下端部が室外ユニット１の下部で前後方向に外れないように係止される。
【００３２】
また、同時に左右の取付アングル３０の上端部の上部固定部分３５に設けられた係止片３５ａを、図１１に示すように、ベース１４のそれぞれの固定部１７の係止穴１９に上方から差し込み、取付アングル３０の上端部も仮固定させる。
この状態で、作業者がスプレー取付部材１３から手をはなしても、取付アングル３０は上下端で、室外ユニット１から外れることがなく係止される。
重なっている穴３５ｂとネジ穴１８に上方よりネジ３６を締結することで、スプレー取付部材１３を容易に室外ユニット１に固定することができる。
また、この時、スプレー取付部材１３の室外ユニット１への取付作業が総て上方から行えるため、散水装置１０を取り付ける側である室外ユニット１の側面と壁２などの障害物との間の隙間が小さくても、その隙間側に従来のように作業者が入らなくても障害物の無い側から覗き込むことで取り付け作業が容易にできる。
【００３３】
ついで、導水管１１ａの他方を制御部本体１１の電磁弁２４部分へ螺合等により接続し、カバー２０をベース１４にネジ２０ａで取り付けて、散水装置１０の取付が完了する。
なお、この実施の形態１では、スプレー取付部材１３を室外ユニット１に固定する前に、散水スプレー１２をスプレー取付部材１３に付けたが、壁２などの障害物があると若干作業が行いにくくなるが、後から付けてもよい。
【００３４】
ついで、運転動作を図１４のフローチャートに基づき説明する。
まず、空気調和機が運転されると、室外ユニット１が運転され、散水装置１０へ電源が供給され、ステップ１００で運転が開始される。
ついで、ステップ１０１で電磁弁２４が確実に働くか、また散水スプレー１２が詰まっていないか、等を確認するためのスイッチである試運転スイッチ２８が押されたかを確認する。
押されていれば、ステップ１０２で電磁弁２４を開閉させて散水１０秒間と散水停止１０秒間を３回繰り返し、
ステップ１０３で試運転スイッチ２８の押された情報をクリアしてステップ１０１へ戻る。
ステップ１０１で試運転スイッチ２８が押されていなければ、
ステップ１０４へと進み、熱交換器３の洗浄を行うためのスイッチである洗浄手段の洗浄スイッチ２９が押されたかを判定する。
洗浄スイッチ２９が押されていれば、
ステップ１０５で散水を開始し、
ステップ１０６では散水が開始されてから１０分以内に洗浄スイッチ２９が再度押されたかを検出し、
再度押された場合は、ステップ１０８で散水を停止させる。
【００３５】
また、ステップ１０６で再度洗浄スイッチ２９が押されていなければ、
ステップ１０７で散水時間が１０分経過したかを判定し、
１０分間散水を行ったところでステップ１０８に移り散水を停止する。
すなわち、１０分間もう一度洗浄スイッチ２９が押されない限り、洗浄のために継続した散水が行われるわけである。
ついで、ステップ１０９で洗浄スイッチ２９の押された情報をクリアしステップ１０１へ戻る。
ステップ１０４で洗浄スイッチ２９が押されていなければ、
ステップ１１０へと進んで、設定スイッチ２７の運転モードを判断し、
過負荷モードに設定されていれば、
ステップ１１１で温度センサー４４により検出する外気温が過負荷となる４０℃以上かを判定し、
４０℃以上であれば、散水のためステップ１１３へ進み、
また、４０℃より低ければ、ステップ１０１へと戻る。
【００３６】
また、ステップ１１０で省エネモードに設定されていればステップ１１２へ進み、
外気温が３２℃以上であれば省エネのための散水を行うためステップ１１３へ進み、３２℃より低ければ問題がないので、ステップ１０１へと戻る。
そして、ステップ１１１とステップ１１２で外気温が設定温度以上で散水が必要と判定された場合は、
ステップ１１３で前回の散水から５分間が経過したかを判断し、
五分間経過していなければステップ１０１へ戻る。
これは、前回の散水がある程度蒸発してから次の散水を行った方が熱交換器３の熱交換効率がよく、また切水にもなるためである。
そして、外気温度が高ければ５分間おきに散水を行わせるものであり、ステップ１１３で前回の散水から５分が経過していればステップ１１４へ進み設定スイッチ２７の散水時間の設定を判断し、散水時間の設定が３０秒間に設定されていれば、ステップ１１５で電磁弁２４を３０秒間開けて３０秒間散水を行いステップ１０１へ戻る。
【００３７】
また、ステップ１１４で設定スイッチ２７の散水時間の設定が１５秒間に設定されていれば、ステップ１１６で電磁弁２４を１５秒間開けて１５秒間散水を行いステップ１０１へ戻り運転を継続する。
なお、ステップ１１５，１１６の散水継続時間３０秒と１５秒は水の水圧の条件の違いによる出水量の調節や室外ユニット１の熱交換器３の大きさが異なる種類のものに散水する場合などの散水量を適切に設定する際に利用する。
【００３８】
上記実施の形態１では、洗浄用に１０分間継続して散水する洗浄手段を設けているので、散水を熱交換器３の清掃に利用でき、便利にまた熱交換性能を向上させて省エネに貢献できる。
また、実施の形態１では洗浄用の散水時間を１０分間としたが、これに限定されるものでなく、通常の散水時間３０秒間や１５秒間よりも長い時間で、頻回に洗浄スイッチ２９を押さなくて、洗浄に一般的に利用できる程度の時間例えば３分程度から２０分程度散水を継続させるものでも同様の効果を奏す。
また、実施の形態１のように、洗浄の散水中に再度洗浄スイッチ２９を押すと散水を中止し、通常運転に戻るようにしてあるので、洗浄が終わりしだい散水を停止でき、また、誤って洗浄スイッチ２９を押してしまった際にも水を無駄にすることがない。
【００３９】
実施の形態２．
次に、実施の形態２について説明する。
図１５〜図２０は実施の形態２を示すもので、図１５は実施の形態２の取付アングルの斜視図、図１６は図１５のＫ部分の要部正面図、図１７は図１６のＭ−Ｍ線断面図、図１８はスプレー取付部材を取り付けた状態の図１に相等する斜視図、図１９はスプレー取付部材を図１８より背の高い室外ユニットに取り付けた状態の図１８に相当する斜視図、図２０は図１９の取付アングルの図１６に相当する要部正面図である。
【００４０】
図において、上記実施の形態１と同等若しくは相当部分には同一符号を付し、その詳細な説明は省略する。
実施の形態１では、取付アングル３０の長さ寸法は一定のものを示し、取り付ける室外ユニット１の高さ寸法が異なる場合は、制御部本体１１やスプレー取付台３２などの取付アングル３０以外の散水装置１０の部分は同一のものが使用できるものの、取付アングル３０については、室外ユニット１の高さが異なる場合、それぞれ対応した専用の長さの取付アングル３０を用意していた。
これに対して、この実施の形態２では、取付アングル３０の長さ寸法を可変でき、高さの異なる室外ユニット１であっても同じ取付アングル３０で取り付けができるようにした。
【００４１】
図において、この例では、取付アングル３０は、上アングル３７と下アングル３８との少なくとも２部材に分割された構成とされている。この上アングル３７と下アングル３８とは、上下に配置される上アングルと下アングルとの出会部が、出会い方向即ち上下方向へ摺動自在に重合し、任意の重合位置で上アングルと下アングルとが固定自在とされている。
即ち、並走部３０ａの下アングル３８の部分が、上アングル３７の断面を、図１７に示すように、略凹状に丁度入り込む寸法に設けて、上下アングル３７、３８を上下に重合させて、互いに上下に移動自在であるが他の方行へは移動できないよう設けている。
上アングルと下アングルとの重合位置での重合固定手段は、上アングルと下アングルとの何れか一方に設けられた１つ又は複数の固定用ネジ穴と、他方に設けられた前記固定用ネジ穴に対応する複数又は１つの固定用穴と、固定用ネジ穴と固定用穴との任意の一組を固定する締結部材とで構成されている。
これを説明すると、下アングル３８に上アングル３７の固定用ネジ穴３９を設け、また上アングル３７にこの固定用ネジ穴３９に対応する上下に複数（この例では５個）の固定用穴４０を設けている。この固定用ネジ穴３９に対し、上下アングル３７，３８を上下方向にスライドさせて、任意の重合位置の固定用穴４０とネジ穴３９とをネジ４２で締結することで、上アングル３７と下アングル３８とが固定される。
このように構成することで、取付アングル３０の上下の長さ寸法を重合可能な範囲において任意に変えることができ、同じ取付アングル３０で室外ユニット１の高さが異なっても取付できる。
また、これにより、側面の高さの異なる室外ユニット１の種類に応じて、長さの異なる専用の取付アングルを幾種類も用意しておく必要がない。
更に、この実施の形態によれば、同一形態の量産化による価格低減や、取付け作業に当たって、長さの異なる取付アングルの種類を間違えるといった不具合もなくなる。
【００４２】
符合４１は下アングル３８の上方に設けられたスリットで、スプレー取付台３２を取り付けるネジ３３を避けるためのものである。複数の固定用穴４０へ固定用ネジ穴３９が合う位置に、ネジ穴３０ｃが位置するよう上下に広く設けている。
また、この実施の形態２では、上アングル３７内に下アングル３８が入り込むように設け、重なり合う部分を長めに設けているので、重なり合うことで並走部３０ａの強度が向上する。
【００４３】
固定用穴４０にそれぞれ対応して近傍の上アングル３７の表面に、それぞれＡ〜Ｅと固定用穴４０を識別する表示としての用途識別表示４５を設けた。用途識別表示４５はこの実施の形態では刻印しており、例えばＡの固定用穴は図１８のような高さ寸法Ａタイプの室外ユニット、Ｅの固定用穴は図１９，図２０のような高さ寸法Ｅタイプの室外ユニットのように高さ寸法の異なる室外ユニット１の機種との対応を分かりやすくしている。
また、この実施の形態２ではＡ〜Ｅの表示を消えることがなく加工も簡単な刻印としたが、印刷であってもよい。
【００４４】
上記実施の形態２では、下アングル３８が上アングル３７内に入り込み上下に重合してスライドするものを示したが、下アングル３８内に上アングル３８が入り込み、スライドするものであっても良く、上記実施の形態と同様の効果を奏す。
また、上記実施の形態では、上下アングル３７，３８が上下に移動自在で、上下に外れない限りは上下アングル３７，３８がばらばらにならないものを示したが、上下アングル３７，３８を添わせるだけでネジ４２を締結すれば固定されるものであっても良く、上下アングル３７，３８がネジ４２を締結するまで離れないように手などで支える必要があるが、取付アングル３０の長さを調節できる点では同様の効果がある。
また、この実施の形態では、上アングル３７に複数の固定用穴４０を設け下アングル３８に固定用ネジ穴３９を設けたものを示したが、この場合も含め、上アングル３７と下アングル３８の任意の重合位置での固定を、上アングル３７と下アングル３８の一方に固定用ネジ穴３９、またはこの固定用ネジ穴３９に対応して締結するネジ４２を通す固定用穴４０を設け、他方に固定用ネジ穴３９に対応する複数の固定用穴４０または固定用穴４０に対応する複数の固定用ネジ穴３９を設け、この上アングル３７と下アングル３８の他方側に設けた複数の固定用穴４０または複数の固定用ネジ穴３９の近傍に、各固定用穴４０または各固定用ネジ穴３９を識別する表示４５を設けるようにしてもよく、同様の効果がある。
【００４５】
また、上記実施の形態２では、取付アングル３０を上下アングル３７，３８に二分割したものを示したが、上中下の三分割などもっとたくさんに分割しても作ることができる。
また、この実施の形態では、スプレー取付台３２を取付けるネジ穴３０ｃを上下４箇所に設けてスプレー取付台３２を上下に位置を変えられるようにしてあるので、散水スプレー１２の上下位置を調節して散水位置を適切にすることができる。なお、この実施の形態では、上下２段階であるが、もっと多くの段階の上下位置に調整できるようにしてもよい。
【００４６】
実施の形態３．
次に実施の形態３について説明する。
図２１は実施の形態３を示す図１に相当する斜視図である。上記実施の形態では、比較的背の低い室外ユニット１に散水装置１０を取り付けるものを示したが、図２１のように背の高い室外ユニット１に散水装置１０を取り付けてもよい。
この場合の取付アングル３０は、上記実施の形態２のものよりもかなり長くなるため、上下のアングル３７，３８の長さをそれぞれ実施の形態２のものと異なるように設けてもよいが、この実施の形態３では、上アングル３７は実施の形態２のものと同一のものを使用し、下アングル３８を実施の形態２より長いものを使用している。これによると、一方の部品を共通に使用することができ、量産によるコスト低減を図ることができる。
また、この実施の形態３では、散水スプレーを１２を上下に２基設けて散水範囲を広くさせている。
また、この実施の形態３のものにおいても上アングル３７と下アングル３８をばらばらな状態で収納すれば包装も小さなものとなる。
【００４７】
実施の形態４．
図２２はこの発明の実施の形態４を示す図８に相当する要部斜視図である。
上記実施の形態１〜３では、取付アングル３０の上部の室外ユニット１上部への固定は制御部本体１１に取り付けることで、容易に取り付けできるものを示したが、図２２に示すように、室外ユニット１上部に直接穴などを開けてネジ３６で取付アングル３０の上部を固定するようにしてもよく、穴開けなどの作業が増えて固定作業の時間が増えるもののその他は上記実施の形態と同様の効果を奏する。
【００４８】
実施の形態５．
図２３はこの発明の実施の形態５を示す図８に相当する要部斜視図である。
上記実施の形態１〜４では、取付アングル３０の上部の室外ユニット１上部への固定を、ネジ３６などにより上方から行うようにして、室外ユニット１の散水スプレー１２を設置する側に作業者が入る必要がなく、室外ユニット１の散水スプレー１２を設置した側の反対側の面から覗き込めば取付できるなど、壁２などの障害物があっても取付アングル３０の上部固定がやりやすいものを示した。
これに対して、この実施の形態５は、図２３のように取付アングル３０の上部を後方から取り付ける構成とした。これによれば、壁２などの障害物があると取り付け作業がやりにくくなるものの、他の効果は上記実施の形態と同様のものがえられる。
【００４９】
実施の形態６．
図２４は実施の形態６を示す図１２に相当する要部断面図である。
上記実施の形態１〜５では、取付アングル３０の上部の固定位置を所定の位置としたものを示したが、図２４に示すようにネジ穴１８と係止穴１９とを前後に２個所ずつ設け、取付アングル３０の上部の取付位置を前後に変えられるように設けてもよい。
このようにすると、散水スプレー１２と熱交換器３との間隔が変えられるので、散水の広がる範囲を調整できる。
なお、この実施の形態では前後２段階の調整としたが、もっと複数段に調整できる構成としてもよい。
【００５０】
実施の形態７．
図２５は実施の形態７を示す図１２に相当する要部断面図である。
上記実施の形態１では取付アングル３０の上部を係止穴１９と係止片３５ａで係止させたものを示したが、図２５に示すように、実施の形態１のように係止穴１９と係止片３５ａはなくても良い。これによれば、ネジ３６で固定する際、取付アングル３０がずれる可能性があり若干組み立て性が劣るものの、他の効果は実施の形態１と同様である。
【００５１】
実施の形態８．
図２６は実施の形態８を示す図１０に相当する要部断面図である。
上記実施の形態１では、取付アングル３０の下部の室外ユニット１への固定を前後の挟持片３４ａ，３４ｂで上方から差込み、上方から係止を行うようにして、室外ユニット１の散水スプレー１２を設置する側に作業者が入る必要をなくし、室外ユニット１の散水スプレー１２を設置した側の反対側の面や側面から覗き込んで取付できるなど、壁２などの障害物があっても取付アングル３０の下部の固定がやりやすいものを示した。
これに対して、実施の形態８は、図２６に示すように、ネジ４３などでフランジ９ａと取付アングル３０の下部を締結してもよい。これによれば、壁２などの障害物があると取り付け作業がやりにくくなるものの、他の効果は上記実施の形態と同様のものがえられる。
【００５２】
実施の形態９．
図２７は実施の形態９を示す図１０に相当する要部断面図である。
上記実施の形態１では、取付アングル３０の下部の室外ユニット１への固定手段としてを前後の挟持片３４ａ，３４ｂを切り起こして形成したものを示したが、加工が少し複雑になるものの、図２７のように折り返した構造に形成してもよい。
【００５３】
実施の形態１０．
図２８は実施の形態１０を示す図１０に相当する要部断面図である。
上記実施の形態１では、取付アングル３０の下部の室外ユニット１への固定を前後の挟持片３４ａ，３４ｂで上方から差込み、上方から行うようにして室外ユニット１の散水スプレー１２を設置する側に作業者が入る必要がなく、室外ユニット１の散水スプレー１２を設置した側の反対側の面や側面から覗き込むなどで取付できるなど、壁２などの障害物があっても取付アングル３０の下部の固定がやりやすいものを示したが、図２８のように、フランジ９ａに穴４６を開け、取付アングル３０の下部を差し込むように設けてもよい。
こうすると、取付アングル３０の取り付け作業がやりにくくなるものの、他の効果は上記実施の形態と同様のものがえられる。
【００５４】
【発明の効果】
本発明は、室内ユニットと冷媒配管で連絡して室外に配置された室外ユニットに取り付けられ、前記室外ユニットの熱交換器に散水や噴霧を行う空気調和機用散水装置において、前記室外ユニットの上部パネルの外面に取り付ける散水や噴霧の実行や停止を制御する制御部本体と、この制御部本体で制御された水を吐出させる散水スプレーと、前記散水スプレーを固定して前記散水スプレーを前記熱交換器に散水や噴霧が広がる所定の間隔をあけて対向した位置で配置されるスプレー取付部材とを備え、散水や噴霧の実行や停止を制御する前記制御部本体に供給される電源を前記室外ユニットの圧縮機の電源供給部から供給されるように前記圧縮機の電源供給部へ接続し、前記室外ユニットが運転されると前記圧縮機の電源供給部から散水や噴霧の実行や停止を制御する前記制御部本体にも電源が供給され、散水や噴霧を行う運転が開始されるようにし、前記制御部本体には、前記室外ユニットの設置位置にて当該室外ユニットの端部へ当接する当接片を設けたとともに、前記スプレー取付部材の上部を前記制御部本体に取り付けた。また前記スプレー取付部材を前記室外ユニットの吸込み口より狭い幅で散水や噴霧の実行や停止を制御する前記制御部本体の幅よりも狭い幅に設けるとともに、前記スプレー取付部材の前記散水スプレーが取り付けられるスプレー取付台を上下に位置を変えられるようにしたので、スプレー取付部材をコンパクトに形成できるとともに空気調和機が運転されると室外ユニットが運転され空気調和機用散水装置へ電源が供給されるようにできるとともに制御部本体の室外ユニット上部への取付けが容易となる。
また、前記スプレー取付部材を前記制御部本体の幅よりも狭い幅に設けるとともに、前記スプレー取付部材の前記散水スプレーが取り付けられるスプレー取付台を上下に位置を変えられるようにしたので、散水スプレーの上下位置を調節して散水位置を適切にすることができる。
また、前記散水スプレーを上下に２基設けたので、散水範囲を広くすることができる。
【図面の簡単な説明】
【図１】実施の形態１を示す斜視図である。
【図２】図１のＦ−Ｆ線断面図である。
【図３】回路構成図である。
【図４】散水装置制御部本体の斜視図である。
【図５】図４のＧ−Ｇ線断面図である。
【図６】スプレー取付部材の斜視図である。
【図７】スプレー取付部材の取付を説明する斜視図である。
【図８】制御部本体部分の要部斜視図である。
【図９】図７のＨ部分の要部斜視図である。
【図１０】図９のＩ−Ｉ線断面図である。
【図１１】取付アングル上部の取付けを説明する要部斜視図である。
【図１２】図８のＪ−Ｊ線断面図である。
【図１３】取付アングル２本とスプレー取付台を並べた状態の斜視図である。
【図１４】実施の形態１の動作を説明するフローチャートである。
【図１５】実施の形態２の取付アングルの重合と分離状態を示す斜視図である。
【図１６】図１５のＫ部分の要部正面図である。
【図１７】図１６のＭ−Ｍ線断面図である。
【図１８】実施の形態２のスプレー取付部材を取り付けた状態の斜視図である。
【図１９】実施の形態２のスプレー取付部材の取付状態の斜視図である。
【図２０】取付アングルの要部正面図である。
【図２１】実施の形態３を示す斜視図である。
【図２２】実施の形態４を示す要部斜視図である。
【図２３】実施の形態５を示す要部斜視図である。
【図２４】実施の形態６を示す要部断面図である。
【図２５】実施の形態７を示す要部断面図である。
【図２６】実施の形態８を示す要部断面図である。
【図２７】実施の形態９を示す要部断面図である。
【図２８】実施の形態１０を示す要部断面図である。
【図２９】従来の散水装置を示す斜視図である。
【図３０】従来の散水スプレー取り付け枠の斜視図である。
【図３１】図２９のＮ−Ｎ線断面図である。
【符号の説明】
１  室外ユニット、３  熱交換器、９  台板、９ａ  フランジ、１０  散水装置、１１  制御部本体、１２  散水スプレー、１３  スプレー取付部材、１５  当接片、１９  係止穴、２４  電磁弁、２９  洗浄手段（洗浄スイッチ）、３０取付アングル、３０ａ  並走部、３０ｂ  屈曲部、３２  スプレー取付台、３４  係止部、３５ａ  係止片、３７  上アングル、３８  下アングル、３９  固定用ネジ穴、４０  固定用穴、４２  ネジ、４５  用途識別表示。
【図１】
0004594578.tif 000002
【図２】
0004594578.tif 000003
【図３】
0004594578.tif 000004
【図４】
0004594578.tif 000005
【図５】
0004594578.tif 000006
【図６】
0004594578.tif 000007
【図７】
0004594578.tif 000008
【図８】
0004594578.tif 000009
【図９】
0004594578.tif 000010
【図１０】
0004594578.tif 000011
【図１１】
0004594578.tif 000012
【図１２】
0004594578.tif 000013
【図１３】
0004594578.tif 000014
【図１４】
0004594578.tif 000015
【図１５】
0004594578.tif 000016
【図１６】
0004594578.tif 000017
【図１７】
0004594578.tif 000018
【図１８】
0004594578.tif 000019
【図１９】
0004594578.tif 000020
【図２０】
0004594578.tif 000021
【図２１】
0004594578.tif 000022
【図２２】
0004594578.tif 000023
【図２３】
0004594578.tif 000024
【図２４】
0004594578.tif 000025
【図２５】
0004594578.tif 000026
【図２６】
0004594578.tif 000027
【図２７】
0004594578.tif 000028
【図２８】
0004594578.tif 000029
【図２９】
0004594578.tif 000030
【図３０】
0004594578.tif 000031
【図３１】
0004594578.tif 000032